(57)【要約】  本発明は、ガバナロープの損傷を抑制し、ガバナロープの延長作業を行うことのできる工事用エレベータ装置を提供することを目的とする。  そのために、本発明では、昇降路９内を昇降方向に移動可能な機械室ユニット１と、機械室ユニット１の下方に主索により吊り下げられ、ガイドレール１０に沿って昇降するかご２と、機械室ユニット１に配置され、上部プーリ２１を備えるガバナ本体２２と、昇降路９の下方に配置される下部プーリ２３と、上部プーリ２１と下部プーリ２３との間に掛けられ、引上げ装置４を介してかご２と同期して昇降するガバナロープ２４と、かご２に設けられ、引上げ装置４により作動し、かご２の昇降を停止させる非常止め装置５とを備える。さらに、本発明は、機械室ユニット１には、ガバナロープ２４を把持可能なロープクランプ７を備える。
2020178979.tif 000002
【特許請求の範囲】
【請求項１】
機械室用揚重機により吊り下げられ、昇降路内を昇降方向に移動可能な機械室ユニットと、前記機械室ユニットの下方に主索により吊り下げられ、ガイドレールに沿って昇降するかごと、前記機械室ユニットに配置され、上部プーリを備えるガバナ本体と、昇降路の下方に配置される下部プーリと、前記上部プーリと前記下部プーリとの間に掛けられ、引上げ装置を介して前記かごと同期して昇降するガバナロープと、前記かごに設けられ、前記引上げ装置により作動し、前記かごの昇降を停止させる非常止め装置とを備えた工事用エレベータ装置において、
前記機械室ユニットには、前記ガバナロープを把持可能なロープクランプを備えたことを特徴とする工事用エレベータ装置。
【請求項２】
請求項１において、
前記かごには、前記ガバナロープの中間部を固定および解放可能なロープ固定装置を備えたことを特徴とする工事用エレベータ装置。
【請求項３】
請求項２において、
前記かごには、前記ガバナロープが巻き付けられたガバナロープドラムを備えたことを特徴とする工事用エレベータ装置。
【請求項４】
請求項１または２において、
前記ロープクランプは、前記引上げ装置と前記上部プーリとの間に位置する前記ガバナロープを把持するように備えられたことを特徴とする工事用エレベータ装置。
【請求項５】
請求項１または２において、
前記ロープクランプは、前記ガバナ本体に備えられていることを特徴とする工事用エレベータ装置。
【請求項６】
請求項１または２において、
前記ロープクランプは、前記ロープクランプと前記引上げ装置間における前記ガバナロープのロープ長さを一定に保持することを特徴とした工事用エレベータ装置。
【請求項７】
請求項１または２において、
前記ロープクランプは、対となって配置され、前記ガバナロープを挟持するロープ受け板と、前記ロープ受け板に設けられ、前記ロープ受け板による前記ガバナロープの締付け力を調整する調整ボルトおよび調整ナットとを備えることを特徴とする工事用エレベータ装置。
【請求項８】
機械室用揚重機により吊り下げられ、昇降路内を昇降方向に移動可能な機械室ユニットと、前記機械室ユニットの下方に主索により吊り下げられ、ガイドレールに沿って昇降するかごと、前記機械室ユニットに配置され、上部プーリを備えるガバナ本体と、昇降路の下方に配置される下部プーリと、前記上部プーリと前記下部プーリとの間に掛けられ、引上げ装置を介して前記かごと同期して昇降するガバナロープと、前記かごに設けられ、前記引上げ装置により作動し、前記かごの昇降を停止させる非常止め装置とを備えた工事用エレベータ装置のガバナロープ延長方法において、
前記機械室ユニットに備えられ、前記ガバナロープを把持するロープクランプと、前記かごに備えられ、延長される前記ガバナロープの中間部を固定および解放可能なロープ固定装置とを備え、
前記かごの稼働時には、前記ロープクランプは前記ガバナロープを開放し、前記ロープ固定装置は前記ガバナロープの中間部を固定し、
前記ガバナロープの延長作業時には、前記ロープクランプは前記ガバナロープを固定し、前記ロープ固定装置は前記ガバナロープの中間部を開放するようにしたことを特徴とする工事用エレベータ装置のガバナロープ延長方法。
【発明の詳細な説明】
【技術分野】
【０００１】
本発明は、工事用エレベータ装置、及び工事用エレベータ装置のガバナロープ延長方法に関する。
【背景技術】
【０００２】
建築中のビルの昇降路には、ビルが完成する前にエレベータが設置され、工事用エレベータとして使用されることがある。建築中のビルは、建築の進捗に合わせて高さが増加することから、建築の進捗に合わせ、工事用エレベータの機械室ユニットの位置を上方向に移動させる必要がある。【０００３】
機械室ユニットの高さ位置が上方向に変更されると、機械室ユニットの高さに合わせガバナロープを延長する必要がある。ガバナロープの延長にあたっては、ガバナロープに摩擦力を掛けながらガバナロープを延長するようにしている。【０００４】
このような技術として、例えば特許文献１に記載の技術が提案されている。
【先行技術文献】
【特許文献】
【０００５】
【特許文献１】国際特許出願公開ＷＯ２００８／０７７９９２号公報
【発明の概要】
【発明が解決しようとする課題】
【０００６】
しかしながら、前述した特許文献１に記載の技術においては、ガバナロープに、摩擦力を掛けながらロープを延長するため、摩擦によって傷付いたロープが延長され続けるという課題があった。また、エレベータ稼働時に傷付いたガバナロープがプーリを通過することでプーリを傷付けるおそれがあった。その結果、ガバナロープが破断したり、プーリから異音が発生する可能性があった。【０００７】
本発明の目的は、ガバナロープの損傷を抑制し、ガバナロープの延長作業を行うことのできる工事用エレベータ装置、及び工事用エレベータ装置のガバナロープ延長方法を提供することにある。
【課題を解決するための手段】
【０００８】
前記目的を達成するために本発明の特徴とするところは、機機械室用揚重機により吊り下げられ、昇降路内を昇降方向に移動可能な機械室ユニットと、前記機械室ユニットの下方に主索により吊り下げられ、ガイドレールに沿って昇降するかごと、前記機械室ユニットに配置され、上部プーリを備えるガバナ本体と、昇降路の下方に配置される下部プーリと、前記上部プーリと前記下部プーリとの間に掛けられ、引上げ装置を介して前記かごと同期して昇降するガバナロープと、前記かごに設けられ、前記引上げ装置により作動し、前記かごの昇降を停止させる非常止め装置とを備えた工事用エレベータ装置において、前記機械室ユニットには、前記ガバナロープを把持可能なロープクランプを備えたことにある。
【発明の効果】
【０００９】
本発明によれば、ガバナロープの損傷を抑制し、ガバナロープの延長作業を行うことのできる工事用エレベータ装置、及び工事用エレベータ装置のガバナロープ延長方法を提供することができる。【００１０】
尚、上述した以外の課題、構成および効果は、以下の実施形態の説明により明らかにされる。
【図面の簡単な説明】
【００１１】
【図１】本発明の一実施例に係る建設中の工事用エレベータ装置を示す概略構成図である。
【図２】図１に示した工事用エレベータ装置のロープ固定装置を示す拡大図である。
【図３】図２に示した工事用エレベータ装置のロープ把持装置を示す拡大図である。
【発明を実施するための形態】
【００１２】
以下、本発明のエレベータのガバナテンション装置を実施するための形態について図を参照して説明する。尚、各図において同一または類似の構成には同じ符号を付して繰り返しの説明は省略する。
【００１３】
図１は、本発明の一実施例に係る建設中の工事用エレベータ装置１００を示す概略構成図である。図１は、工事用エレベータ装置１００を乗降ドア側から見ているので、巻上機、釣合い錘、巻上機と釣合い錘を繋ぐ主索等は図中から省略している。
【００１４】
工事用エレベータ装置１００は、機械室ユニット１と、かご２と、ガバナ装置３と、引上げ装置４と、非常止め装置５と、ロープ固定装置６と、ロープクランプ７とを有している。
【００１５】
機械室ユニット１は、図示しない機械室用揚重機により吊り下げられ、その下部に配置された可動支持部８によって昇降路９内を昇降方向に移動可能に構成されている。建屋の工事が進み、階数が増加すると、増加した階へ可動支持部８を移動させる。機械室ユニット１には、図示を省略した巻上機や制御盤なども備えられている。
【００１６】
かご２は、図示しない巻上機のシーブに巻き掛けられた主索により機械室ユニット１の下方に吊り下げられ、昇降路９内に立設されるガイドレール１０に沿って昇降する。
【００１７】
ガバナ装置３は、機械室ユニット１に配置され、上部プーリ２１を具備するガバナ本体２２と、昇降路９の下側に配置され上部プーリ２１の対向位置に設けられる下部プーリ２３と、上部プーリ２１と下部プーリ２３間に無端状に巻き掛けられるガバナロープ２４とを有している。ガバナロープ２４は、かご２と同期して昇降する。ガバナ装置３は、かご２の下降速度が所定の過速度に達すると、引上げ装置４を介して非常止め装置５を作動させ、かご２を機械的に非常停止させる。
【００１８】
引上げ装置４は、例えば、かご２上部に設けられるとともに、ガバナロープ２４の一端が連結されており、ガバナ装置３によるガバナロープ２４の把持動作に応じて変位し、非常止め装置５を作動させるものである。
【００１９】
非常止め装置５は、かご２下部に設けられるとともに、引上げ装置４により作動し、非常時に楔によってガイドレール１０を把持してかご２の落下を停止させる。
【００２０】
ロープ固定装置６は、かご２に固定されて設けられ、ガバナロープドラム１１から繰り出されるガバナロープ２４の中間部を固定するものである。
【００２１】
ガバナロープドラム１１は、かご２に備えられており、ガバナロープ２４が巻き付けられている。ガバナロープ２４の延長作業時は、ガバナロープドラム１１からガバナロープ２４を繰り出してガバナロープ２４を延長する。
【００２２】
ロープクランプ７は、機械室ユニット１に設置され、ガバナロープ２４の延長作業時にガバナロープ２４を把持可能とし、ロープクランプ７と引上げ装置４との間におけるガバナロープ２４のロープ長さを一定に保持するものである。
【００２３】
このような構成の工事用エレベータ装置１００は、作業者がかご２や図示しない作業プラットフォームに乗り込み、物品の運搬を行ったり、ガイドレール１０および塔内機器を据え付けたりするために使用される。
【００２４】
図２は、図１に示した工事用エレベータ装置のロープ固定装置６を示す拡大図である。ロープ固定装置６は、かご２の上部に固定して設けられ、ガバナロープ２４を挟持および解放する構造を有している。かご２の稼働時には、ロープ固定装置６は、ガバナロープドラム１１から繰り出されるガバナロープ２４の中間部を強固に挟持する。そして、ロープ固定装置６は、ロープ固定装置６から下部プーリ２３および上部プーリ２１を介し引上げ装置４に至るガバナロープ２４のロープ長さを一定に保持する。これによりガバナロープ２４はかご２と同期して移動することができる。
【００２５】
一方、ガバナロープ２４の延長時には、ロープ固定装置６は、ガバナロープ２４の中間部を解放し、ガバナロープドラム１１からのガバナロープ２４の繰り出しを可能とする。すなわち、ガバナロープ２４の延長に伴い、ガバナロープ２４は、ロープ固定装置６を通過し、下部プーリ２３の方へと導かれる。尚、かご２の上部角部には転向プーリ１２が配置され、ガバナロープドラム１１から繰り出されるガバナロープ２４を下方に延在させるようになっている。
【００２６】
ロープ固定装置６が開放された状態において、何らかの理由によりかご２が落下した場合、ガバナロープ２４と連結された引上げ装置４を引上げることができない。そこで、本実施例においては、ロープ固定装置６が開放された時に、ガバナロープ２４を使って引上げ装置４を引き上げることができるようにロープクランプ７を備えている。
【００２７】
次にロープクランプ７の構成について、図３を用いて説明する。図３は、図１に示した工事用エレベータ装置のロープクランプ７を示す拡大図である。
【００２８】
ロープクランプ７は、例えば、ガバナ本体２２に設けられており、対となってガバナロープ２４に配置され、ガバナロープ２４を挟持するロープ受け板３１ａ，３１ｂと、ロープ受け板３１ａ，３１ｂが設けられ、ロープ受け板３１ａ，３１ｂによるガバナロープ２４の締付け力を調整する調整ボルト３２および調整ナット３３とを備えている。ロープクランプ７は調整ボルト３２および調整ナット３３を操作することにより、ガバナロープ２４を固定および開放する。ロープ受け板３１ａ，３１ｂは鉄系の材料で構成されている。
【００２９】
本実施例におけるロープ固定装置６とロープクランプ７は、次のような関係にある。かご２の稼働時、ロープ固定装置６はガバナロープ２４を固定し、ロープクランプ７はガバナロープ２４を開放する。ガバナロープ２４の延長時、ロープ固定装置６はガバナロープ２４を開放し、ロープクランプ７はガバナロープ２４を固定する。
【００３０】
通常時、すなわち、かご２稼働時には、ロープ固定装置６は、ガバナロープドラム１１から繰り出されるガバナロープ２４の中間部を強固に挟持し、引上げ装置４とロープ固定装置６間におけるガバナロープ２４のロープ長さを一定に保持する。そして、ガバナロープ２４はかご２と同期して移動する。この状態で何らかの理由により、かご２の下降速度が所定の過速度に達すると、ガバナ装置３のガバナ本体２２は、ガバナロープ２４を把持する。この状態でさらにかご２が下降することにより、ガバナロープ２４を介して引上げ装置４が引上げられる。この引上げ装置４の引上げ動作により、引上げ装置４と連動した非常止め装置５が作動し、楔によってガイドレール１０を把持してかご２の下降を非常停止させる。尚、非常止め装置５は、周知の構成であるため、詳細な説明は省略する。非常止め装置５は、周知の構成を適宜選択すると良い。
【００３１】
また、工事中の建屋にあっては、工事の進捗に応じてより上方に位置するガイドレール１０および塔内機器を昇降路９内に据え付けてゆく。この時、工事用エレベータ装置１００にあっては、機械室ユニット１を上方へ移設するとともに、ガバナロープ２４の延長作業も実施する。このようなガバナロープ２４の延長作業を行う場合、ロープ固定装置６によるガバナロープ２４の中間部の固定を解放し、ガバナロープドラム１１からのガバナロープ２４の繰り出しを可能とする。一方、ロープクランプ７によりガバナロープ２４を把持可能とし、ロープクランプ７と引上げ装置４間におけるガバナロープ２４のロープ長さを一定に保持する。これにより、機械室ユニット１の移設時に、何らかの理由によりかご２が落下した場合、ガバナロープ２４を介して引上げ装置４が引上げられる。この引上げ装置４の引上げ動作により、非常止め装置５が作動し、楔によってガイドレール１０を把持してかご２の昇降を非常停止させる。
【００３２】
ガバナロープ２４の延長が完了したら、ロープ固定装置６でガバナロープ２４を固定し、ガバナロープ２４を固定していたロープクランプ７を開放する。
【００３３】
さらに、工事の進捗によってガバナ本体２２の点検やかご２の昇降速度の変更を行う時にガバナ本体２２の調整や交換を実施する場合においても、ロープクランプ７によりガバナロープ２４を把持しておくことにより、ガバナ本体２２の調整や交換作業中に、何らかの理由によりかご２が落下した場合、ガバナロープ２４を介して引上げ装置４が引上げられる。この引上げ装置４の引上げ動作により、非常止め装置５が作動し、楔によってガイドレール１０を把持してかご２の昇降を非常停止させる。
【００３４】
以上説明したように本発明は、機械室用揚重機により吊り下げられ、昇降路９内を昇降方向に移動可能な機械室ユニット１と、機械室ユニット１下方に主索により吊り下げられ、ガイドレール１０に沿って昇降するかご２と、機械室ユニット１に配置され、上部プーリ２１を備えるガバナ本体２２と、昇降路９の下側に配置され上部プーリ２１の対向位置に設けられる下部プーリ２３と、上部プーリ２１と下部プーリ２３間に無端状に巻き掛けられるとともに、引上げ装置４を介してかご２と同期して昇降するガバナロープ２４と、かご２に設けられるとともに、引上げ装置４により作動し、非常時に楔によってガイドレール１０を把持してかご２の昇降を停止させる非常止め装置５とを有し、機械室ユニット１の移設時にガバナロープ２４の延長作業も同時に実施可能な工事用エレベータ装置において、機械室ユニット１に、ガバナロープ２４の延長作業時にガバナロープ２４を把持するロープクランプ７を設置し、ロープクランプ７と引上げ装置４間におけるガバナロープ２４のロープ長さを一定に保持可能とする。
【００３５】
このような構成によれば、機械室ユニット１の移設時には、ロープクランプ７と引上げ装置４間におけるガバナロープ２４のロープ長さが一定に保持されていることから、何らかの理由によりかご２が落下した場合、ガバナロープ２４を介して引上げ装置４が引上げられて非常止め装置５が作動する。一方、従来のように、引上げ装置４を引上げ可能とするために摩擦力を掛けながらロープを繰り出すことを要さない。
【００３６】
したがって、安全を確保しつつ、ガバナロープ２４を傷付けることなく当該ロープの延長作業を行うことができる。また、ガバナロープ２４が傷付かないことから、ガバナロープが巻き掛けられる上部プーリ２１，下部プーリ２３を傷付けるおそれもない。
【００３７】
さらに、ガバナ本体２２の点検やかご２の昇降速度の変更を行うためにガバナ本体２２の調整や交換を実施する時にも、ロープクランプ７と引上げ装置４間におけるガバナロープ２４のロープ長さが一定に保持されていることから、何らかの理由によりかご２が落下した場合、ガバナロープ２４を介して引上げ装置４が引上げられて非常止め装置５が作動する。
【００３８】
また、本実施例は上述の構成に加えて、かご２に、ガバナロープドラム１１から繰り出されるガバナロープ２４の中間部を固定および解放可能なロープ固定装置６を備える。
【００３９】
このような構成によれば、かご２稼働時には、ロープ固定装置６によりガバナロープドラム１１から繰り出されるガバナロープ２４の中間部を強固に挟持し、引上げ装置４とロープ固定装置６間におけるガバナロープ２４のロープ長さを一定に保持し、ガバナロープ２４をかご２と同期して移動させることができるとともに、ガバナロープ２４の延長作業を行う場合、ロープ固定装置６によるガバナロープ２４中間部の固定を解放し、ガバナロープドラム１１からのガバナロープ２４の繰り出しを可能とすることができる。
【００４０】
また、本実施例は上述の構成に加えて、ロープクランプ７は、対となって配置され、ガバナロープを挟持するロープ受け板３１ａ，３１ｂと、ロープ受け板３１ａ，３１ｂに設けられ、ロープ受け板３１ａ，３１ｂによるガバナロープ２４の締付け力を調整する調整ボルト３２および調整ナット３３とを備える。
【００４１】
このような構成によれば、比較的簡易な構造で、ガバナロープ２４の延長作業時にガバナロープ２４を確実に把持するロープクランプ７を実現することができる。
【００４２】
また、本実施例は上述の構成に加えて、ロープクランプ７は、ガバナ本体２２に具備される。このような構成によれば、ガバナ本体２２を、ロープクランプ７を取り付ける筐体とすることができ、部品員数の低減を図りつつ、機械室ユニット１にロープクランプ７を設けることができる。
【００４３】
さらに本実施例においては、かご２稼働時に、ロープ固定装置６によりガバナロープドラム１１から繰り出されるガバナロープ２４の中間部を強固に挟持するようにしたが、ガバナロープドラム１１に制動をかけてガバナロープドラム１１からのガバナロープ２４の繰り出しを制限するようにしても良い。
【００４４】
尚、本発明は、上述した実施例に限定するものではなく、様々な変形例が含まれる。例えば、上述した実施例は本発明を分かり易く説明するために詳細に説明したものであり、必ずしも説明した全ての構成を備えるものに限定するものではない。またある実施例の構成の一部を他の実施例の構成に置き換えることが可能であり、また、ある実施例の構成に他の実施例の構成を加えることも可能である。また、各実施例の構成の一部について、他の構成の追加、削除、置換をすることが可能である。
【符号の説明】
【００４５】
１…機械室ユニット、２…かご、３…ガバナ装置、４…引上げ装置、５…非常止め装置、６…ロープ固定装置、７…ロープクランプ、８…可動支持部、９…昇降路、１０…ガイドレール、１１…ガバナロープドラム、１２…転向プーリ、２１…上部プーリ、２２…ガバナ本体、２３…下部プーリ、２４…ガバナロープ、３１ａ，３１ｂ…ロープ受け板、３２…調整ボルト、３３…調整ナット、１００…工事用エレベータ装置
【図１】
2020178979.tif 000003
【図２】
2020178979.tif 000004
【図３】
2020178979.tif 000005
【手続補正書】
【提出日】令和1年10月10日(2019.10.10)
【手続補正１】
【補正対象書類名】特許請求の範囲
【補正対象項目名】全文
【補正方法】変更
【補正の内容】
【特許請求の範囲】
【請求項１】
機械室用揚重機により吊り下げられ、昇降路内を昇降方向に移動可能な機械室ユニットと、前記機械室ユニットの下方に主索により吊り下げられ、ガイドレールに沿って昇降するかごと、前記機械室ユニットに配置され、上部プーリを備えるガバナ本体と、昇降路の下方に配置される下部プーリと、前記上部プーリと前記下部プーリとの間に掛けられ、引上げ装置を介して前記かごと同期して昇降するガバナロープと、前記かごに設けられ、前記引上げ装置により作動し、前記かごの昇降を停止させる非常止め装置とを備えた工事用エレベータ装置において、
前記かごに備えられ、前記ガバナロープが巻き付けられたガバナロープドラムと、
前記機械室ユニットに備えられ、前記かごの稼働時において前記ガバナロープを開放し、前記ガバナロープの延長作業時において前記ガバナロープを固定するロープクランプと、
前記かごに備えられ、前記かごの稼働時において前記ガバナロープの中間部を固定し、前記ガバナロープの延長作業時において前記ガバナロープの中間部を開放して前記ガバナロープドラムから前記ガバナロープを繰り出すロープ固定装置と、を備えたことを特徴とする工事用エレベータ装置。
【請求項２】
（削除）
【請求項３】
（削除）
【請求項４】
請求項１において、
前記ロープクランプは、前記引上げ装置と前記上部プーリとの間に位置する前記ガバナロープを把持するように備えられたことを特徴とする工事用エレベータ装置。
【請求項５】
請求項１において、
前記ロープクランプは、前記ガバナ本体に備えられていることを特徴とする工事用エレベータ装置。
【請求項６】
請求項１において、
前記ロープクランプは、前記ロープクランプと前記引上げ装置間における前記ガバナロープのロープ長さを一定に保持することを特徴とした工事用エレベータ装置。
【請求項７】
請求項１において、
前記ロープクランプは、対となって配置され、前記ガバナロープを挟持するロープ受け板と、前記ロープ受け板に設けられ、前記ロープ受け板による前記ガバナロープの締付け力を調整する調整ボルトおよび調整ナットとを備えることを特徴とする工事用エレベータ装置。
【請求項８】
機械室用揚重機により吊り下げられ、昇降路内を昇降方向に移動可能な機械室ユニットと、前記機械室ユニットの下方に主索により吊り下げられ、ガイドレールに沿って昇降するかごと、前記機械室ユニットに配置され、上部プーリを備えるガバナ本体と、昇降路の下方に配置される下部プーリと、前記上部プーリと前記下部プーリとの間に掛けられ、引上げ装置を介して前記かごと同期して昇降するガバナロープと、前記かごに設けられ、前記引上げ装置により作動し、前記かごの昇降を停止させる非常止め装置とを備えた工事用エレベータ装置のガバナロープ延長方法において、
前記かごに備えられ、前記ガバナロープが巻き付けられたガバナロープドラムと、
前記機械室ユニットに備えられ、前記ガバナロープを把持するロープクランプと、前記かごに備えられ、延長される前記ガバナロープの中間部を固定および解放可能なロープ固定装置とを備え、
前記かごの稼働時には、前記ロープクランプは前記ガバナロープを開放し、前記ロープ固定装置は前記ガバナロープの中間部を固定し、
前記ガバナロープの延長作業時には、前記ロープクランプは前記ガバナロープを固定し、前記ロープ固定装置は前記ガバナロープの中間部を開放して前記ガバナロープドラムから前記ガバナロープを繰り出すようにしたことを特徴とする工事用エレベータ装置のガバナロープ延長方法。
【手続補正２】
【補正対象書類名】明細書
【補正対象項目名】０００２
【補正方法】変更
【補正の内容】
【０００２】
いたガバナロープがプーリを通過することでプーリを傷付けるおそれがあった。その結果、ガバナロープが破断したり、プーリから異音が発生する可能性があった。
［０００７］
本発明の目的は、ガバナロープの損傷を抑制し、ガバナロープの延長作業を行うことのできる工事用エレベータ装置、及び工事用エレベータ装置のガバナローブ延長方法を提供することにある。
課題を解決するための手段
［０００８］
前記目的を達成するために本発明の特徴とするところは、機械室用揚重機により吊り下げられ、昇降路内を昇降方向に移動可能な機械室ユニットと、前記機械室ユニットの下方に主索により吊り下げられ、ガイドレールに沿って昇降するかごと、前記機械室ユニットに配置され、上部プーリを備えるガバナ本体と、昇降路の下方に配置される下部プーリと、前記上部プーリと前記下部プーリとの間に掛けられ、引上げ装置を介して前記かごと同期して昇降するガバナロープと、前記かごに設けられ、前記引上げ装置により作動し、前記かごの昇降を停止させる非常止め装置とを備えた工事用エレベータ装置において、前記かごに備えられ、前記ガバナロープが巻き付けられたガバナロープドラムと、前記機械室ユニットに備えられ、前記かごの稼働時において前記ガバナロープを開放し、前記ガバナロープの延長作業時において前記ガバナロープを固定するロープクランプと、前記かごに備えられ、前記かごの稼働時において前記ガバナロープの中間部を固定し、前記ガバナロープの延長作業時において前記ガバナロープの中間部を開放して前記ガバナロープドラムから前記ガバナロープを繰り出すロープ固定装置と、を備えたことにある。
発明の効果
［０００９］
本発明によれば、ガバナロープの損傷を抑制し、ガバナロープの延長作業を行うことのできる工事用エレベータ装置、及び工事用エレベータ装置のガバナロープ延長方法を提供することができる。
［００１０］
尚、上述した以外の課題、構成および効果は、以下の実施形態の説明により明らかにされる。
図面の簡単な説明
［００１１］
［図１］本発明の一実施例に係る建設中の工事用エレベータ装置を示す概略構成図である。
［図２］図１に示した工事用エレベータ装置のロープ固定装置を示す拡大図である。
【国際調査報告】
2020178979.tif 000006
2020178979.tif 000007
2020178979.tif 000008
2020178979.tif 000009